(57)【特許請求の範囲】
【請求項１】
直方体状に形成され上下面には複数の通気部が設けられた少なくとも２個の収納ケースの隣接する側面が密着するように配列され、これら収納ケースの上下面それぞれが上部連結部材および下部連結部材を介してネジ止め固定された電子機器収納ケースの連結構造において、
前記収納ケース上下面の一部には通気部として奥行方向に沿って奥行方向と直交するように複数のスリットが等間隔に設けられるとともに、前面および背面の上下面近傍には内部に連通する複数のネジ穴が設けられ、
前記上部連結部材には長手方向に沿って長手方向と直交する方向に複数の連結辺が設けられるとともに、長手方向に沿った両側面の前記収納ケースのネジ穴に対応する位置には前記収納ケースの上面内に挿入できるようにＬ字形に折り曲げられた複数の取付片が離散的に形成されてこれら取付片には前記収納ケースの上面近傍に設けられたネジ穴と重なり合うように取付穴が設けられ、
前記下部連結部材には長手方向に沿って長手方向と直交する方向に複数の連結辺が設けられるとともに、長手方向に沿った両側面の前記収納ケースのネジ穴に対応する位置には前記収納ケースの下面内に挿入できるようにＬ字形に折り曲げられた複数の取付片が離散的に形成されてこれら取付片には前記収納ケースの下面近傍に設けられたネジ穴と重なり合うように取付穴が設けられ、
前記密着配列された収納ケースは、前記上部連結部材および下部連結部材を挟み込むようにしてバックボードに固定されることを特徴とする電子機器収納ケースの連結構造。
【請求項２】
前記上部連結部材及び下部連結部材は、板金加工により形成されることを特徴する請求項１に記載の電子機器収納ケースの連結構造。
【請求項３】
前記電子機器は光ファイバ分布型温度測定装置であることを特徴する請求項１または請求項２記載の電子機器収納ケースの連結構造。
【請求項４】
前記収納ケースは３個であり、第１の収納ケースには電気信号制御処理ブロックが収納され、第２の収納ケースには光学系ブロックが収納され、第３の収納ケースには基準光ファイバが収納されることを特徴とする請求項３に記載の電子機器収納ケースの連結構造。
【発明の詳細な説明】
【技術分野】
【０００１】
本発明は、電子機器収納ケースの連結構造に関し、詳しくは、機能別にユニット化された複数のユニットで構成される電子機器収納ケースの一体化構造に関する。
【背景技術】
【０００２】
電子機器の一種に、光ファイバをセンサとして用い、光ファイバ内で発生する後方散乱光を利用して光ファイバに沿った温度分布を測定するように構成された温度分布測定装置がある。
【０００３】
このような温度分布測定装置の機能ブロックは、たとえば光ファイバに測定用のパルス光を入射するとともに光ファイバ内で発生する後方ラマン散乱光をストークス光とアンチストークス光に分離する光分波器を含む光学系ブロックと、光ファイバに沿った温度分布測定が行われるように各部を制御するとともに光分波器で分離されたストークス光とアンチストークス光がそれぞれ光電変換された電気信号に基づきストークス光とアンチストークス光の強度比を求めて温度を算出することにより光ファイバに沿った温度分布を演算表示する電気信号制御処理部と、基準用光ファイバ部に大別できる。
【０００４】
そして、これら複数の機能ブロックはたとえば図４に示すように共通する１つのケース１０に収納され、１台の温度分布測定装置として構成されていた。
【０００５】
特許文献１には、光ファイバ分布型温度測定装置に関連する技術が記載されている。
特許文献２には、所定の機能を有する複数のユニットを連結して構成する技術が記載されている。
【先行技術文献】
【特許文献】
【０００６】
【特許文献１】特開２００９−１１５５６８号公報
【特許文献２】実開昭６１−１７９７７９号公報
【発明の開示】
【発明が解決しようとする課題】
【０００７】
しかし、複数の機能ブロックを共通する１つの収納ケースに収納する従来の構成によれば、当初の製品化段階で収納ケースの収納容積が決まっていることから、当初の製品化後の改良により開発された大規模な回路を組み込んだり、当初の製品よりも大きな端子台などを組み込むことはできないという問題がある。
【０００８】
開発された回路が既存の収納ケースに収納できない場合には、その都度、回路の大きさを加味した金型を作成し、開発された回路を収納できるケースを作ることはできるが、回路が大きくなって収納できなくなるごとに新しく金型を作成するためにはかなり高額のコストがかかることになり、金型費用を回収するためには大量の生産台数が必要になる。
【０００９】
本発明は、これらの課題を解決するものであり、その目的は、収納対象となる複数の機能ブロックの数に合わせて、所定の収納容積を有する収納ケースを必要な数だけ連結一体化することにより、拡張性に優れた低コストの電子機器収納ケースの連結構造を実現することにある。
【課題を解決するための手段】
【００１０】
このような課題を達成するために、本発明のうち請求項１記載の発明は、
直方体状に形成され上下面には複数の通気部が設けられた少なくとも２個の収納ケースの隣接する側面が密着するように配列され、これら収納ケースの上下面それぞれが上部連結部材および下部連結部材を介してネジ止め固定された電子機器収納ケースの連結構造において、
前記収納ケース上下面の一部には通気部として奥行方向に沿って奥行方向と直交するように複数のスリットが等間隔に設けられるとともに、前面および背面の上下面近傍には内部に連通する複数のネジ穴が設けられ、
前記上部連結部材には長手方向に沿って長手方向と直交する方向に複数の連結辺が設けられるとともに、長手方向に沿った両側面の前記収納ケースのネジ穴に対応する位置には前記収納ケースの上面内に挿入できるようにＬ字形に折り曲げられた複数の取付片が離散的に形成されてこれら取付片には前記収納ケースの上面近傍に設けられたネジ穴と重なり合うように取付穴が設けられ、
前記下部連結部材には長手方向に沿って長手方向と直交する方向に複数の連結辺が設けられるとともに、長手方向に沿った両側面の前記収納ケースのネジ穴に対応する位置には前記収納ケースの下面内に挿入できるようにＬ字形に折り曲げられた複数の取付片が離散的に形成されてこれら取付片には前記収納ケースの下面近傍に設けられたネジ穴と重なり合うように取付穴が設けられ、
前記密着配列された収納ケースは、前記上部連結部材および下部連結部材を挟み込むようにしてバックボードに固定されることを特徴とする電子機器収納ケースの連結構造である。
【００１１】
請求項２の発明は、請求項１記載の電子機器収納ケースの連結構造において、
前記上部連結部材及び下部連結部材は、板金加工により形成されることを特徴とする。
【００１２】
請求項３の発明は、請求項１または請求項２記載の電子機器収納ケースの連結構造において、
前記電子機器は光ファイバ分布型温度測定装置であることを特徴する。
【００１３】
請求項４の発明は、請求項３に記載の電子機器収納ケースの連結構造において、
前記収納ケースは３個であり、第１の収納ケースには電気信号制御処理ブロックが収納され、第２の収納ケースには光学系ブロックが収納され、第３の収納ケースには基準光ファイバが収納されることを特徴とする。
【発明の効果】
【００１４】
これらによれば、拡張性に優れた低コストの電子機器収納ケースの連結構造が実現できる。
【図面の簡単な説明】
【００１５】
【図１】本発明の一実施例を示す構成説明図である。
【図２】本発明の一実施例を示す斜視図である。
【図３】図２の部分説明図である。
【図４】従来の電子機器の一例を示す構成説明図である。
【発明を実施するための最良の形態】
【００１６】
以下、本発明の実施の形態について、図面を用いて詳細に説明する。図１は本発明の一実施例を示す構成説明図である。図１において、３個の収納ケース２０ａ〜２０ｃは、所定の収納容積を有する直方体状の同一形状に形成されたものであり、上下面にはそれぞれ複数の通気部２１、２２が設けられている。これら収納ケース２０ａ〜２０ｃは隣接する側面が密着するように配列され、これら収納ケースの上下面それぞれは上部連結部材３０および下部連結部材４０を介してネジ止め固定されている。
【００１７】
たとえば収納ケース２０ａにおいて、上下面の一部には、通気部２１、２２としてそれぞれ奥行方向に沿って奥行方向と直交するように複数のスリットが等間隔に設けられている。前面および背面の上面近傍には内部に連通する複数のネジ穴２３が設けられ、前面および背面の下面近傍には内部に連通する複数のネジ穴２４が設けられている。
【００１８】
上部連結部材３０は板金加工されたものであって、長手方向に沿って長手方向と直交する方向に複数の連結辺３１が設けられるとともに、長手方向に沿った両側辺の収納ケース２０の上面近傍に設けられているネジ穴２３に対応する位置には、収納ケース２０の上面内に挿入できるようにＬ字形に折り曲げられた複数の取付片３２が離散的に形成されている。そして、これら取付片３２には、収納ケース２０の前面および背面の上面近傍に設けられたネジ穴２３と重なり合うように、取付穴３３が設けられている。
【００１９】
下部連結部材４０も板金加工されたものであって、長手方向に沿って長手方向と直交する方向に複数の連結辺４１が設けられるとともに、長手方向に沿った両側辺の収納ケース２０の下面近傍に設けられているネジ穴２４に対応する位置には、収納ケース２０の下面内に挿入できるようにＬ字形に折り曲げられた複数の取付片４２が離散的に形成されている。そして、これら取付片４２には、収納ケース２０の前面および背面の下面近傍に設けられたネジ穴２４と重なり合うように、取付穴４３が設けられている。
【００２０】
これら３個の収納ケース２０ａ〜２０ｃは、以下のようにして上部連結部材３０および下部連結部材４０を介して連結一体化される。すなわち、はじめに、３個の収納ケース２０ａ〜２０ｃを隣接する側面が密着するように配列する。
【００２１】
次に、これら密着配列された３個の収納ケース２０ａ〜２０ｃの上面内部に上部連結部材３０の取付片３２を差し込み、取付片３２に設けられている取付穴３３を、収納ケース２０の前面および背面の上面近傍に設けられたネジ穴２３と重ね合わせる。そして、これら重ね合わせた上部連結部材３０の取付穴３３とネジ穴２３にたとえばネジ穴２３側から固定ネジ５０を螺入し、上部連結部材３０を収納ケース２０ａ〜２０ｃの上面にネジ止め固定する。
【００２２】
同様に、これら密着配列された３個の収納ケース２０ａ〜２０ｃの下面内部に下部連結部材４０の取付片４２を差し込み、取付片４２に設けられている取付穴４３を、収納ケース２０の前面および背面の下面近傍に設けられたネジ穴２４と重ね合わせる。そして、これら重ね合わせた下部連結部材４０の取付穴４３とネジ穴２４にたとえばネジ穴２４側から固定ネジ５０を螺入し、下部連結部材４０を収納ケース２０ａ〜２０ｃの下面にネジ止め固定する。
【００２３】
図２は図１の電子機器収納ケースの連結構造をバックボードに取り付けた構成説明図であり、図２は図３の部分拡大図である。図２および図３において、密着配列された３個の収納ケース２０ａ〜２０ｃは、上部連結部材３０および下部連結部材４０を挟み込むようにして製品固定用のネジ５０でバックボード６０に固定される。
【００２４】
なお、収納ケース２０ａ〜２０ｃの前面には、たとえば所定の形状に板金加工されたフロントカバー７０が取り付けられる。
【００２５】
バックボード６０には、たとえば電源ブロックが収納される収納ケース８０も固定されている。
【００２６】
これらの構成により、３個の収納ケース２０ａ〜２０ｃの上面は上部連結部材３０で前面部と背面部をまたぐようにして連結固定され、下面は下部連結部材４０で前面部と背面部をまたぐようにして連結固定されるので、振動などによる収納ケース２０ａ〜２０ｃのねじれを抑制することができ、連結一体化された収納ケース２０ａ〜２０ｃの強度が増すことになる。
【００２７】
そして、密着配列された３個の収納ケース２０ａ〜２０ｃに対して上部連結部材３０および下部連結部材４０を隙間を生じないガタを持たないで差し込むことにより、強度の向上だけでなく配列された収納ケース２０ａ〜２０ｃ間の位置決め精度も向上し、バックボード６０に対してより正確な位置に取り付けることができる。
【００２８】
なお、上部連結部材３０および下部連結部材４０は、長手方向に沿って長手方向と直交する方向に複数の連結辺３１および４１が設けられていることから、上部連結部材３０および下部連結部材４０を介して連結一体化した状態であっても収納ケース２０ａ〜２０ｃの放熱特性が損なわれることはない。
【００２９】
さらに、上部連結部材３０および下部連結部材４０は、板金加工により形成されているので、電磁ノイズに対するシールド特性の向上が図れる。特に、フロントカバーが板金の場合にはフロントカバーと連結部品、バックボードと連結部品の固定ネジを増やすことにより多点結合となり、全体的に金属で覆われた構造を実現できノイズ特性が向上する。 
【００３０】
図２のように構成される電子機器収納ケースの連結構造には、分割可能な複数の機能ブロックで構成される電子機器、たとえば電気信号制御処理ブロックと光学系ブロックと基準光ファイバブロックとで構成される光ファイバ分布型温度測定装置を収納できる。
【００３１】
光ファイバ分布型温度測定装置の収納にあたっては、第１の収納ケース２０ａには電気信号制御処理ブロックが収納され、第２の収納ケース２０ｂには光学系ブロックが収納され、第３の収納ケース２０ｃには基準光ファイバが収納される。そして、収納ケース８０には、光ファイバ分布型温度測定装置の各機能ブロックを駆動するための電源を供給する電源ブロックが収納される。
【００３２】
なお、電子機器収納ケースの連結構造に収納される電子機器は、光ファイバ分布型温度測定装置に限るものではなく、分割可能な複数の機能ブロックで構成されるその他の電子機器であってもよい。
【００３３】
このような構成によれば、収納対象となる機能ブロックの数に合わせて所定の収納容積を有する収納ケースを必要な数だけ連結一体化すればよく、収納容積の大きさとして製品化後の改良により開発される可能性がある機能ブロックの最大の大きさを考慮しておくことにより拡張性に優れた低コストの電子機器収納ケースの連結構造が得られ、従来のように開発された回路が既存の収納ケースに収納できなくなってしまうことを回避できる。
【００３４】
また、所定の収納容積を有する収納ケースを標準化しておくことにより、各種電子機器の機能ブロックの収納ケースとして用いることができ、大量生産による収納ケースの低コスト化が図れる。
【００３５】
以上説明したように、本発明によれば、拡張性に優れた低コストの電子機器収納ケースの連結構造を実現できる。
【符号の説明】
【００３６】
２０  収納ケース
２１、２２  通気部
２３、２４  ネジ穴
３０  上部連結部材
３１  連結辺
３２  取付片
３３  取付穴
４０  下部連結部材
４１  連結辺
４２  取付片
４３  取付穴
５０  固定ネジ
６０  バックボード
７０  フロントカバー
８０  収納ケース
【図１】
0005867689.tif 000002
【図２】
0005867689.tif 000003
【図３】
0005867689.tif 000004
【図４】
0005867689.tif 000005